(57)【要約】【課題】  従来に比べて通信用配線を大幅に削減可能であるとともに、高いセキュリティを実現可能なセキュリティシステムを提供する。【解決手段】  複数の第１通信装置と、第２通信装置と、制御装置を有するセキュリティシステム。複数の第１通信装置は、記録媒体と通信するときに記録媒体に自己の識別データを書き込むように構成されており、記録媒体が前記複数の第１通信装置のうちの少なくとも２つの第１通信装置と通信したときに少なくとも２つの第１通信装置の識別データとそれらの通信順序を示す通信履歴データが記録媒体に残るように構成されている。第２通信装置は、記録媒体と通信するときに記録媒体から通信履歴データを読み出す。制御装置は、複数の識別データとそれらの順序を示す指定順序データを記憶しており、第２通信装置が読み出した通信履歴データが指定順序データと一致したときに特定信号を出力する。【選択図】図１
2013134604.tif 000002
【特許請求の範囲】
【請求項１】
複数の第１通信装置と、第２通信装置と、制御装置を有するセキュリティシステムであって、
前記複数の第１通信装置は、各々が互いに異なる識別データを有しており、記録媒体と通信するときに記録媒体に自己の識別データを書き込むように構成されており、記録媒体が前記複数の第１通信装置のうちの少なくとも２つの第１通信装置と通信したときに前記少なくとも２つの第１通信装置の識別データとそれらの通信順序を示す通信履歴データが記録媒体に残るように構成されており、
第２通信装置は、記録媒体と通信するときに記録媒体から通信履歴データを読み出し、
制御装置は、第２通信装置と接続されており、複数の識別データとそれらの順序を示す指定順序データを記憶しており、第２通信装置が読み出した通信履歴データが指定順序データと一致したときに、特定信号を出力する、
セキュリティシステム。
【請求項２】
制御装置と接続されており、記録媒体と通信するときに、制御装置が記憶する指定順序データを記録媒体に書き込む第３通信装置をさらに有しており、
記録媒体が、指定順序データを表示する表示部を有している、
請求項１に記載のセキュリティシステム。
【発明の詳細な説明】
【技術分野】
【０００１】
本発明は、セキュリティシステムに関する。
【背景技術】
【０００２】
特許文献１には、人の入退室を管理するセキュリティシステムが開示されている。このセキュリティシステムは、複数のカードリーダを有している。全てのカードリーダは、通信用配線によってデータ管理装置に接続されている。データ管理装置は、予め決められた順路データを記憶している。また、カードリーダがカードから情報（識別データ）を読み出すと、その情報がデータ管理装置に送られる。したがって、データ管理装置には、そのカードに対して過去に読み出しを行ったカードリーダの履歴が蓄積される。データ管理装置は、所定のカードリーダ（例えば、テナント７への入室を許可するためのカードリーダ）がカードから情報を読み出した場合には、そのカードの履歴と予め決められた順路データとが一致するか否かを判定する。これらが一致する場合には、入室が許可され、扉が開錠される。これらが一致しない場合には、入室が許可されず、扉が開錠されない。このように、カードの履歴により入室の許否を決定することで、高いセキュリティを実現することができる。
【先行技術文献】
【特許文献】
【０００３】
【特許文献１】特開２００８−１５７０１５号公報
【発明の概要】
【発明が解決しようとする課題】
【０００４】
特許文献１のセキュリティシステムでは、全てのカードリーダをデータ管理装置に接続する必要がある。このため、多くの通信用配線が必要となり、システム全体が大規模となる。したがって、本明細書では、従来に比べて通信用配線を大幅に削減可能であるとともに、高いセキュリティを実現可能なセキュリティシステムを提供する。
【課題を解決するための手段】
【０００５】
本明細書が開示するセキュリティシステムは、複数の第１通信装置と、第２通信装置と、制御装置を有する。前記複数の第１通信装置は、各々が互いに異なる識別データを有しており、記録媒体と通信するときに記録媒体に自己の識別データを書き込むように構成されており、記録媒体が前記複数の第１通信装置のうちの少なくとも２つの第１通信装置と通信したときに前記少なくとも２つの第１通信装置の識別データとそれらの通信順序を示す通信履歴データが記録媒体に残るように構成されている。第２通信装置は、記録媒体と通信するときに記録媒体から通信履歴データを読み出す。制御装置は、第２通信装置と接続されており、複数の識別データとそれらの順序を示す指定順序データを記憶しており、第２通信装置が読み出した通信履歴データが指定順序データと一致したときに、特定信号を出力する。
【０００６】
なお、記録媒体は、書き込み、及び、読み出しが可能なものであれば、どのようなものであってもよい。
【０００７】
このセキュリティシステムでは、各第１通信装置が自己の識別データを記録媒体に書き込むことで、記録媒体に通信履歴データが残る。その後、第２通信装置が記録媒体から通信履歴データを読み出すと、制御装置が、その通信履歴データと指定順序データが一致していることを条件として、特定信号を出力する。この特定信号を例えば部屋の開錠のためのトリガとして用いれば、入室の管理ができる。入室管理の場合には、ユーザは、指定順序データで規定される順序に従って記録媒体を各第１通信装置と通信させ、その後に記録媒体を第２通信装置と通信させることで、目的の部屋に入ることができる。また、ユーザは、記録媒体を各第１通信装置と誤った順序で通信させた場合には、その後に記録媒体を第２通信装置と通信させても、目的の部屋に入ることはできない。このように、このセキュリティシステムは、カードの履歴に基づく管理が可能であり、高いセキュリティを提供することができる。また、このセキュリティシステムでは、各第１通信装置が制御装置と通信しないので、各第１通信装置を制御装置に接続する通信用配線が不要である。したがって、従来のセキュリティシステムと比べて、通信用配線を大幅に削減することができる。なお、上記では、セキュリティシステムを入室管理に適用した例（特定信号を部屋の開錠のためのトリガとして用いた例）について説明した。しかしながら、特定信号を他の用途（例えば、金庫の開放のため、情報端末をオンするため等）に用いてもよい。
【０００８】
上述したセキュリティシステムは、制御装置と接続されており、記録媒体と通信するときに、制御装置が記憶する指定順序データを記録媒体に書き込む第３通信装置をさらに有していることが好ましい。また、記録媒体が、指定順序データを表示する表示部を有していることが好ましい。
【０００９】
このセキュリティシステムでは、記録媒体の表示部に指定順序データを表示することができる。このため、ユーザは、容易に、指定順序データに従って記録媒体を各第１通信装置と通信させることができる。例えば、より高いセキュリティを実現するために、指定順序データを定期的に変更する場合がある。このような運用を行う場合には、ユーザが正しい順序を忘れて、誤った順序で通信を行い易くなる。しかしながら、上記のように記録媒体に指定順序データを表示させることで、このようなミスを減らすことができる。
【図面の簡単な説明】
【００１０】
【図１】実施例１のセキュリティシステム１０の概略構成を示す図。
【図２】実施例１で使用される識別カード８０の構成を示すブロック図。
【図３】通信履歴データ８８の内容を示す図。
【図４】子通信装置Ｃの概略構成を示すブロック図。
【図５】子通信装置Ｃが実行する処理を示すフローチャート。
【図６】通信履歴データ８８の内容を示す図。
【図７】親通信装置Ｄ４と情報端末４０の概略構成を示すブロック図。
【図８】指定順序データリスト４８の内容を示す図。
【図９】親通信装置Ｄ４が実行する処理を示すフローチャート。
【図１０】実施例２で使用される携帯端末９０の構成を示すブロック図。
【発明を実施するための形態】
【実施例１】
【００１１】
図１は、機密情報室２０への入室を管理するセキュリティシステム１０を示している。セキュリティシステム１０は、通信装置Ｃ１１〜Ｃ１１２、Ｃ２１〜Ｃ２８、Ｃ３１〜Ｃ３８、及び、Ｄ４によって構成されている。図示するように、機密情報室２０は、中央室２２内に設けられている。中央室２２の周囲には、８個の周辺室２４〜３８が設けられている。各部屋の間には、扉が設置されている。機密情報室２０と中央室２２の間には、扉Ｒ４が設置されている。中央室２２と周辺室２４〜３８の間には、扉Ｒ３１〜Ｒ３８が設置されている。周辺室２４〜３８と、その外部スペース１８（図１の最外周の壁の外側のスペース）との間には、扉Ｒ１１〜Ｒ１１２が設置されている。各周辺室２４〜３８の間には、扉Ｒ２１〜Ｒ２８が配置されている。各扉は、いわゆるオートロック式の扉である。すなわち、扉を開いた後に扉を閉じると、自動的に、扉がロックされる。扉がロックされた状態では、外側（通信装置が設置されている側）から扉を開くことはできない。また、扉がロックされた状態でも、内側（通信装置が設置されていない側）からは扉を開くことができる。
【００１２】
各扉の横の壁面には、通信装置Ｃ１１〜Ｃ１１２、Ｃ２１〜Ｃ２８、Ｃ３１〜Ｃ３８、及び、Ｄ４が配置されている。これらの通信装置は、いわゆるＲＦＩＤリーダライタであり、ＲＦＩＤタグと通信することができる。すなわち、各通信装置は、無線通信によって、ＲＦＩＤタグから情報を読み出すことが可能であり、また、ＲＦＩＤタグに情報を書き込むことが可能である。これらの通信装置の間には、通信用配線が設置されていない。また、これらの通信装置の間では、無線通信は行われない。すなわち、これらの通信装置の間では、通信が行われない。機密情報室２０内には、情報端末４０が設置されている。情報端末４０は、通信装置Ｄ４と有線で接続されている。通信装置Ｄ４は、それ以外の通信装置と異なる構成を有している。以下では、通信装置Ｄ４を親通信装置といい、それ以外の通信装置を子通信装置Ｃという。
【００１３】
図２は、セキュリティシステム１０の各通信装置と通信する識別カード８０を示している。識別カード８０は、いわゆるＲＦＩＤタグであり、通信アンテナ８２とＩＣチップ８４を有している。ＩＣチップ８４は、不揮発性の記憶領域を備えている。ＩＣチップ８４には、カード識別データ８６と、通信履歴データ８８が記憶されている。カード識別データ８６は、識別カード８０に対して与えられた固有のデータである。通信履歴データ８８は、識別カード８０が過去に通信を行った子通信装置Ｃの履歴を示すデータである。図３に示すように、通信履歴データ８８は、通信を行った順序と、子通信装置識別データ（各子通信装置識別データに対して与えられた固有のデータ）によって構成されている。順序を示す数字が小さいほど、その順序に対応する子通信装置Ｃと最近に通信を行ったことを示す。ＩＣチップ８４は、通信アンテナ８２と接続されている。通信アンテナ８２で所定の電波が受信されると、その電波によってＩＣチップ８４に電力が供給される。ＩＣチップ８４は、受信された電波に含まれる信号に応じて、ＩＣチップ８４が記憶しているデータを通信先に送信する。また、ＩＣチップ８４は、受信された電波に含まれる信号に応じて、新たにデータを記憶したり、記憶しているデータを書き換えたりする。
【００１４】
図４に示すように、子通信装置Ｃは、通信アンテナ５０と、ＣＰＵ５２と、記憶装置５４を有している。通信アンテナ５０は、識別カード８０との間で無線通信を行う。ＣＰＵ５２は、通信アンテナ５０及び記憶装置５４と接続されている。記憶装置５４は、許可すべきカード識別データ５５と、自己の子通信装置識別データ５６を記憶している。
【００１５】
許可すべきカード識別データ５５は、セキュリティシステム１０で使用可能な識別カード８０に割り当てられているカード識別データである。後に詳述するが、子通信装置Ｃは、通信相手の識別カード８０が記憶しているカード識別データ８６が、子通信装置Ｃが記憶している許可すべきカード識別データ５５と一致するときに、扉のロックを解除する。
【００１６】
子通信装置識別データ５６は、各子通信装置Ｃに与えられている固有の識別データである。すなわち、各通信装置Ｃには、互いに異なる子通信装置識別データ５６が付与されている。記憶装置５４は、その記憶装置５４が搭載されている子通信装置Ｃに割り当てられた子通信装置識別データ（すなわち、自己の子通信装置識別データ）５６を記憶している。また、各子通信装置Ｃの子通信装置識別データ５６は、各子通信装置Ｃの筐体の表面に表示されている。したがって、セキュリティシステム１０のユーザは、各子通信装置Ｃの筐体を見ることで、その子通信装置Ｃの子通信装置識別データ５６を知ることができる。
【００１７】
子通信装置ＣのＣＰＵ５２は、対応する扉のロック機構５８と接続されている。ロック機構５８は、扉のロックを開閉することができる。ロック機構５８は、ＣＰＵ５２によって制御される。
【００１８】
図５は、子通信装置Ｃが識別カード８０と通信するときの、子通信装置Ｃの動作を示すフローチャートである。なお、何れの子通信装置Ｃも、図５に示す動作を実行する。識別カード８０が子通信装置Ｃの正面に配置されると、識別カード８０と子通信装置Ｃとの間で無線通信が開始される。これによって、図５の処理が開始される。
【００１９】
ステップＳ２では、子通信装置Ｃが、識別カード８０からカード識別データ８６を読み出す。すなわち、子通信装置ＣのＣＰＵ５２が、識別カード８０に対して、識別カード８０のカード識別データ８６を要求するコマンドを送信する。すると、識別カード８０のＩＣチップ８４は、記憶領域からカード識別データ８６を読み出し、そのカード識別データ８６を子通信装置Ｃに送信する。したがって、ＩＣチップ８４から送信されたカード識別データ８６が、ＣＰＵ５２で受信される。
【００２０】
ステップＳ４では、ＣＰＵ５２が、ステップＳ２で読み出したカード識別データ８６が、記憶装置５４で記憶している許可すべきカード識別データ５５と一致するか否かを判定する。これらが一致しない場合（すなわち、ステップＳ４でＮＯと判定した場合）には、通信中の識別カード８０は不正に作られたものである。したがって、この場合には、ＣＰＵ５２は以降の処理を全て中止する。この場合には、扉のロックが解除されない。また、ステップＳ４でＹＥＳと判定した場合には、ＣＰＵ５２は、ステップＳ６を実行する。
【００２１】
ステップＳ６では、ＣＰＵ５２は、識別カード８０の通信履歴データ８８を更新する。すなわち、ステップＳ６では、ＣＰＵ５２は、最初に、記憶装置５４から自己の子通信装置識別データ５６を読み出す。次に、ＣＰＵ５２は、自己の子通信装置識別データ５６を履歴更新コマンドと共に識別カード８０に送信する。識別カード８０のＩＣチップ８４は、履歴更新コマンドを受信すると、履歴更新コマンドと共に受信した子通信装置識別データ５６によって記憶領域に記憶されている通信履歴データ８８を書き換える。具体的には、通信履歴データ８８に既に記憶されている各順序を１つずつ増加させるとともに、順序１の子通信装置識別データとして受信した子通信装置識別データを書き込む。例えば、図３に示す通信履歴データ８８が記憶されている識別カード８０を、子通信装置識別データが「Ｃ３８」である子通信装置Ｃ３８と通信させると、図６に示すように通信履歴データ８８が更新される。
【００２２】
ステップＳ８では、ＣＰＵ５２は、ロック機構５８に対してロック解除信号を送信する。これによって、通信した子通信装置Ｃに隣接する扉のロックが解除される。したがって、ユーザは、その扉を通過することができる。
【００２３】
以上に説明したように、適切なカード識別データ８６を有する識別カード８０を子通信装置Ｃと通信させると、対応する扉のロックが解除されるとともに、識別カード８０が有する通信履歴データ８８にその子通信装置Ｃの子通信装置識別データ５６が書き加えられる。したがって、通信履歴データ８８によって、識別カード８０が過去に通信を行った子通信装置Ｃの履歴が表される。
【００２４】
図７に示すように、親通信装置Ｄ４は、通信アンテナ６０を有している。通信アンテナ６０は、識別カード８０との間で無線通信を行う。通信アンテナ６０は、情報端末４０に接続されている。情報端末４０は、ＣＰＵ４２と、記憶装置４４と、入出力Ｉ／Ｆ４６を有している。ＣＰＵ４２は、通信アンテナ６０と、記憶装置４４と、入出力Ｉ／Ｆ４６に接続されている。また、ＣＰＵ４２は、扉Ｒ４のロック機構４９に接続されている。記憶装置４４は、許可すべきカード識別データ５５と、指定順序データリスト４８を記憶している。許可すべきカード識別データ５５は、各子通信装置Ｃが記憶しているものと同一のカード識別データである。指定順序データリスト４８は、図８に示すように、曜日毎に指定順序データ４８ａ〜４８ｆを規定したデータリストである。指定順序データ４８ａ〜４８ｆは、複数の子通信装置Ｃの子通信装置識別データと、それらの順序を規定したデータである。後に詳述するが、親通信装置Ｄ４は、通信相手の識別カード８０の通信履歴データ８８が対応する指定順序データ４８とマッチしたときに、扉Ｒ４のロックを解除する。ロック機構４９は、扉Ｒ４のロックを開閉することができる。ロック機構４９は、ＣＰＵ４２によって制御される。
【００２５】
図９は、親通信装置Ｄ４が識別カード８０と通信するときの、親通信装置Ｄ４及び情報端末４０の動作を示すフローチャートである。識別カード８０が親通信装置Ｄ４の正面に配置されると、識別カード８０と親通信装置Ｄ４との間で無線通信が開始される。これによって、図９の処理が開始される。
【００２６】
ステップＳ２２では、親通信装置Ｄ４が、識別カード８０から、カード識別データ８６と通信履歴データ８８を読み出す。すなわち、情報端末４０のＣＰＵ４２が、親通信装置Ｄ４を介して、識別カード８０に対して、カード識別データ８６と通信履歴データ８８を要求するコマンドを送信する。すると、識別カード８０のＩＣチップ８４が、記憶領域からカード識別データ８６と通信履歴データ８８を読み出し、それらを親通信装置Ｄ４に送信する。したがって、ＩＣチップ８４から送信されたカード識別データ８６と通信履歴データ８８が、ＣＰＵ４２で受信される。
【００２７】
ステップＳ２４では、ＣＰＵ４２が、ステップＳ２２で受信されたカード識別データ８６が、記憶装置４４が記憶している許可すべきカード識別データ５５と一致するか否かを判定する。これらが一致しない場合（すなわち、ステップＳ２４でＮＯと判定した場合）には、通信中の識別カード８０は不正に作られたものである。したがって、この場合には、ＣＰＵ４２は以降の処理を全て中止する。この場合には、扉Ｒ４のロックが解除されない。また、ステップＳ２４でＹＥＳと判定した場合には、ＣＰＵ４２は、ステップＳ２６を実行する。
【００２８】
ステップＳ２６では、ＣＰＵ４２は、ステップＳ２２で受信された通信履歴データ８８が、指定順序データリスト４８で規定された指定順序データとマッチするか否かを判定する。すなわち、ＣＰＵ４２は、最初に、その日が何曜日であるかを特定する。次に、ＣＰＵ４２は、記憶装置４４から指定順序データリスト４８を読み出す。そして、指定順序データリスト４８の中から、特定された曜日に対応する指定順序データ（すなわち、図８に示す指定順序データ４８ａ〜４８ｆの中の何れか一つ）を抽出する。次に、ＣＰＵ４２は、ステップＳ２２で受信した通信履歴データ８８のうちの直近のデータが、抽出した指定順序データと一致するか否かを判定する。例えば、土曜日には、図６、８に示すように、通信履歴データ８８のうちの直近の５つの履歴が、指定順序データ４８ｆと一致すれば、ステップＳ２６でＹＥＳと判定される（なお、図６では順序１が最も最近（時間的に遅いこと）を表しており、図８では順序１が最初（時間的に早いこと）を表しているので、図６と図８では順序が逆になっている）。これらが一致しない場合（すなわち、ステップＳ２６でＮＯと判定した場合）には、ＣＰＵ４２は以降の処理を全て中止する。この場合には、扉Ｒ４のロックが解除されない。また、図８に示すように、指定順序データリスト４８では、日曜に指定順序データが設定されていない。これは、日曜日には機密情報室２０への入室を許可しないことを意味している。したがって、特定された曜日が日曜日である場合にも、ＣＰＵ４２は、以降の処理を中止する。他方、ステップＳ２６でＹＥＳと判定された場合には、ＣＰＵ４２は、ステップＳ２８を実行する。
【００２９】
ステップＳ２８では、ＣＰＵ４２は、ロック機構４９に対してロック解除信号を送信する。これによって、扉Ｒ４のロックが解除される。したがって、ユーザは、その扉を通過して、機密情報室２０に入ることができる。
【００３０】
以上に説明したように、親通信装置Ｄ４は、識別カード８０が記憶している直近の通信履歴データ８８が、予め決められている指定順序データと一致したときに、扉Ｒ４のロックを解除する。したがって、ユーザは、指定順序データで規定された順序で通信を行っている場合にのみ、機密情報室２０に入室することができる。例えば、土曜日においては、図８に示すように、ユーザは、Ｃ１６、Ｃ２５、Ｃ２６、Ｃ２７、Ｃ３８の順に識別カード８０を各子通信装置Ｃと通信させた場合（すなわち、図１の矢印１００に示すルートを通った場合）に、機密情報室２０に入室することができる。このように、識別カード８０の通信履歴に基づいて扉Ｒ４のロックの解除の可否を決定することで、より高いセキュリティを提供することができる。また、セキュリティシステム１０では、識別カード８０に通信履歴データ８８を記憶させるので、各通信装置が互いに通信を行わなくても識別カード８０の通信履歴に基づく管理を行うことができる。このため、各通信装置の間での通信が不要であり、各通信装置間に通信用配線を設置する必要がない。これにより、セキュリティシステムをより簡素化することが可能となっている。また、情報端末４０が記憶している指定順序データを変更するだけで、子通信装置Ｃの設定を変更することなく、指定順序（ユーザが通過すべきルート）を変更することができる。
【実施例２】
【００３１】
実施例１のセキュリティシステム１０では、曜日に応じて指定順序データが変更される。このような構成においては、ユーザが、正しい指定順序を忘れてしまい、誤った順序で通信を行い易くなる。したがって、実施例２では、このようなミスを抑制できる構成について説明する。
【００３２】
実施例２のセキュリティシステムでは、図１０に示す携帯端末９０を、識別カード８０の代わりに用いる。携帯端末９０は、実施例１の識別カード８０と同様に、通信アンテナ８２とＩＣチップ８４を有している。また、携帯端末９０は、バッテリ９６を有している。ＩＣチップ８４は、バッテリ９６から供給される電力によって動作する。電力の供給源を除けば、通信アンテナ８２とＩＣチップ８４は、実施例１と略同様に動作する。携帯端末９０は、さらに、表示画面９２と、入出力Ｉ／Ｆ９４を有している。携帯端末９０の入出力Ｉ／Ｆ９４は、情報端末４０の入出力Ｉ／Ｆ４６に接続することができる。これによって、情報端末４０から携帯端末９０に指定順序データを送ることができる。例えば、曜日毎に指定順序データが設定されている場合には、情報端末４０から携帯端末９０に、翌日の指定順序データが送られる。携帯端末９０のＩＣチップ８４は、受信した指定順序データを記憶する。携帯端末９０は、記憶している指定順序データを表示画面９２に表示することができる。したがって、ユーザは、翌日に機密情報室２０に入室する際に、表示画面９２に表示された指定順序データを確認しながら、携帯端末９０を正しい順序で子通信端末Ｃと通信させることができる。したがって、ユーザによる通信順序のミスを防止することができる。
【００３３】
なお、実施例２では、携帯端末９０を情報端末４０に有線で接続することで、指定順序データを情報端末４０から携帯端末９０に送信した。しかしながら、無線通信（例えば、メール等）によって、指定順序データを情報端末４０から携帯端末９０に送信してもよい。また、親通信装置Ｄ４と携帯端末９０を通信させる際に、携帯端末９０に指定順序データを送信するようにしてもよい。また、別の実施例においては、情報端末４０で指定順序データをプリントアウト可能としてもよい。
【００３４】
なお、上述した実施例１、２では、識別カード８０（または携帯端末９０）に、過去の通信履歴が記憶可能な範囲で全て残るようになっていたが、このように構成されている必要はない。少なくとも外部スペース１８から親通信装置Ｄ４に至るまでの通信履歴が残るようになっていればよい。例えば、最も外側の子通信装置Ｃ１１〜Ｃ１１２と通信したときに、識別カード８０から過去の通信履歴データ８８が消去される（すなわち、その時の通信相手の子通信装置識別データのみが残る）ようになっていてもよい。または、親通信装置Ｄ４と通信するときに、通信履歴データ８８が消去されてもよい。このような構成でも、通信履歴データ８８に基づく入室管理を行うことができる。すなわち、外部スペース１８から親通信装置Ｄ４に至るまでに通信が必要となる少なくとも２つの子通信装置Ｃと通信したときに、それら２つの子通信装置識別データが識別カード８０（または携帯端末９０）に残るようになっていれば、それらの子通信装置識別データの組み合わせに基づいて、扉Ｒ４のロックの開閉を制御できる。
【００３５】
以上、本発明の具体例を詳細に説明したが、これらは例示にすぎず、特許請求の範囲を限定するものではない。特許請求の範囲に記載の技術には、以上に例示した具体例をさまざまに変形、変更したものが含まれる。
本明細書または図面に説明した技術要素は、単独であるいは各種の組み合わせによって技術的有用性を発揮するものであり、出願時請求項記載の組み合わせに限定されるものではない。また、本明細書または図面に例示した技術は複数目的を同時に達成するものであり、そのうちの一つの目的を達成すること自体で技術的有用性を持つものである。
【符号の説明】
【００３６】
１０：セキュリティシステム
２０：機密情報室
４０：情報端末
４２：ＣＰＵ
４４：記憶装置
４８：指定順序データリスト
４９：ロック機構
５０：通信アンテナ
５２：ＣＰＵ
５４：記憶装置
５６：子通信装置識別データ
５８：ロック機構
６０：通信アンテナ
８０：識別カード
８２：通信アンテナ
８４：ＩＣチップ
８６：カード識別データ
８８：通信履歴データ
Ｃ：子通信装置
Ｄ４：親通信装置
【図１】
2013134604.tif 000003
【図２】
2013134604.tif 000004
【図３】
2013134604.tif 000005
【図４】
2013134604.tif 000006
【図５】
2013134604.tif 000007
【図６】
2013134604.tif 000008
【図７】
2013134604.tif 000009
【図８】
2013134604.tif 000010
【図９】
2013134604.tif 000011
【図１０】
2013134604.tif 000012